(57)【要約】 【課題】連続した包装袋に対してＲカット形状に打ち抜く工程において、全ての打ち抜き部分の切れ味が良好になり、切り残しが発生しないＲカッター装置を提供する。 【解決手段】Ｒカッター装置のカット刃２２の刃先は両端部材４５の全長より両端部材４４の全長が長く構成されており、長い両端部材４４の刃先から短い両端部材４５の刃先にかけて傾斜した直線形状を有している中心部材４６の刃先で構成する。このようにすることによって、平面構造の抜き型受刃（雌刃）に嵌め込むカット刃（雄刃）の切刃線において、最初の接触状態から最後の接触状態に至るまで、できるだけ点接触状態を維持することができる。 【選択図】    図７
2006182388.tif 000002
【特許請求の範囲】
【請求項１】
幅の広いフィルムを複数条の包装フィルムにスリットするスリッター装置と、 
この複数条の包装フィルムを筒状にフォーミングしながら縦シール及び横シールして包装袋にする縦シール装置及び横シール装置と、 
この包装袋内に被包装材料（内容物）を充填する充填装置と、 
この被包装材料（内容物）が充填された包装袋の充填口を封止すると共にこの包装袋を下方に搬送する横シール装置と、 
この搬送された包装袋の横シール部分に対してＲカットを施して個別包装袋とするＲカッター装置とを備えた縦型多列自動包装機であって、 
前記Ｒカッター装置のカッター部は、平面構造の抜き型受刃（雌刃）と、これに嵌め込んで打ち抜き切断するカット刃（雄刃）と、このカット刃を駆動するエアーシリンダとを備え、 
前記カット刃における刃先の長手方向形状が傾斜を有する直線であることを特徴とする縦型多列自動包装機のＲカッター装置。 
【請求項２】
前記カット刃における刃先の長手方向形状が傾斜を有する直線であると共に前記カット刃における刃先の短手方向形状が円弧状に凹んでいることを特徴とする請求項１記載の縦型多列自動包装機のＲカッター装置。 
【発明の詳細な説明】
【技術分野】
【０００１】
本発明は、包装フィルム（包材）を用いて被包装材料（内容物）を自動的に充填包装する自動包装機の技術分野に属するものであって、具体的には、包装フィルムを断面略円筒状にフォーミングしてスティック包装袋を形成する縦型多列自動包装機における打ち抜きカット刃に関するものである。 
【背景技術】
【０００２】
従来から、一度に複数本のスティックタイプの包装袋を連続的にシール成形できるように構成した縦型多列自動包装機が存在している。これは複数本に切断された包装フィルムの各々を多列式に構成した各フォーマーパイプの周囲に巻装して円筒状にフォーミングした後、縦ヒートシーラによって包装フィルムの合わせ目に対して縦シールを施して筒状形態にし、次いで、筒状になった包装フィルムの規定の位置に対して横ヒートシーラによって横シールを施している。 
【０００３】
そして、縦型多列自動包装機は、出来上がった袋状の包装フィルム内に充填パイプを用いて被包装材料（内容物）を充填し、その後、被包装材料注入口を横シールして封止し、この封止された横シール部分の中央付近に対してカッター装置を用いて切り離し、最終的に個別包装形態のスティック状包装袋が多列式に、且つ連続的にシール成形される仕組みになっている。このような縦型多列自動包装機の一例が特許文献１に開示されている。 
【０００４】
上記のような従来の個別包装袋では、出来上がった多数の包装袋を集積する際にカット部分の角と他の個別包装袋の袋部分とが互いに接触して包装袋部分に穴を開けてしまう事故が発生することがある。このため、横シールのカット部分の角を切り落とした形状（所謂「Ｒカット」形状）に加工してこのような事故を防ぐようにしている。 
【０００５】
Ｒカット形状に切り離すカッター装置では、直線カットの場合と異なり、角部分を切り取るために打ち抜き構造が必要になる。そして、この従来のＲカット形状に打ち抜きするカッター装置のカット刃（雄刃）形状は、刃先の長手方向において中心部分が凹んだ円弧状を有していた。 
【０００６】
図９は、従来の一つのカッター部１２０を上から見た上面図である。図９に示すように、この一つのカッター部１２０は、多列式に構成されているスティック状包装袋の内の一列分に対応するカッター装置であり、列数分だけ用意されて水平方向に並列設置されている。そして、このカッター部の内部にはカット刃１２２が組み込まれており、このカット刃１２２を駆動するエアーシリンダ１２１と駆動軸で接続されている。 
【０００７】
カット刃１２２の刃先と対面する位置にＲカット抜き型１２３が一定の間隔を経て設けられており、このカット刃の刃先と抜き型１２３の間に切り離されていない連続したスティック状包装袋が図面表面から裏面に向かってセッティングされている。なお、この抜き型１２３に対して図面上方より側面視した形状をカッター部上部に抜き穴１５０として示している。 
【０００８】
図９に示すカッター部の動作について説明する。縦型多列自動包装機において連続的且つ間歇的にスティック状包装袋が作られ、この包装袋がカット刃１２２と抜き型１２３の間にセッティングされている。そして、この包装袋がカット位置（横シール部分の中央付近）に来たら縦型多列自動包装機は、エアーシリンダ１２１に圧縮されたエアーを送り込み、カット刃１２２を抜き型１２３に向かって駆動してＲカット形状に打ち抜き切断をする。 
【０００９】
図１０は、従来のカッター部１２０に装着されているカット刃１２２を上から見た上面図である。図１０に示すように、カット刃１２２は短手方向に厚みを有する両端部材１２４、１２５と、この両端部材から曲線をもって短手方向の厚みを薄くしている中心部材１２６で構成されている。そして、このカット刃１２２の刃先は同じ長さの両端部材１２４、１２５の刃先と、長手方向においてこの両端部材の刃先から円弧状に凹んでいる形状を有している中心部材１２６の刃先で構成されている。 
【００１０】
なお、この中心部材１２６の長手方向刃先が円弧状に凹んでいる理由は、平面構造の抜き型受刃（雌刃）に嵌め込むカット刃（雄刃）の切刃線の接触状態を点接触状態とするためのものである。 
【特許文献１】特開平９−２７２５１１号公報
【発明の開示】
【発明が解決しようとする課題】
【００１１】
このように、従来の縦型多列自動包装機では、Ｒカット形状の個別包装袋にするためのカット刃（雄刃）の刃先は、長手方向において中央部分に向かって円弧状に凹んでいる形状を有しているため、打ち抜き動作当初のカット刃（雄刃）の刃先と嵌め込む抜き型受刃（雌刃）との切刃線の接触状態は交差角度を有する点接触状態となり、この部分での切れ味は良好となる。しかし、打ち抜き動作が進むに連れてこの切刃線の交差角度は小さくなり、打ち抜き動作最後においては、円弧状のカット刃（雄刃）の刃先に対して嵌め込む直線形状の抜き型受刃（雌刃）が接線のようになるため、切刃線の接触状態は線接触状態となり、細かな切り残しが発生して部分的な切れ味悪化、仕上げ悪化となっていた。 
【００１２】
本発明は、このような問題点を解決するためになされたもので、連続した包装袋に対してＲカット形状に打ち抜く工程において、全ての打ち抜き部分の切れ味が良好になり、切り残しが発生しないカッター装置を提供することにある。 
【課題を解決するための手段】
【００１３】
（１）上記の課題を解決するためになされた本発明の縦型多列自動包装機は、幅の広いフィルムを複数条の包装フィルムにスリットするスリッター装置と、この複数条の包装フィルムを筒状にフォーミングしながら縦シール及び横シールして包装袋にする縦シール装置及び横シール装置と、この包装袋内に被包装材料（内容物）を充填する充填装置と、この被包装材料（内容物）が充填された包装袋の充填口を封止すると共にこの包装袋を下方に搬送する横シール装置と、この搬送された包装袋の横シール部分に対してＲカットを施して個別包装袋とするＲカッター装置とを備えた縦型多列自動包装機であって、前記Ｒカッター装置のカッター部は、平面構造の抜き型受刃（雌刃）と、これに嵌め込んで打ち抜き切断するカット刃（雄刃）と、このカット刃を駆動するエアーシリンダとを備え、前記カット刃における刃先の長手方向形状が傾斜を有する直線である。 
【００１４】
（２）また本発明のＲカッター装置は、前記カット刃における刃先の長手方向形状が傾斜を有する直線であると共に前記カット刃における刃先の短手方向形状が円弧状に凹んでいる。 
【００１５】
上記（１）、（２）で述べた縦型多列自動包装機のＲカッター装置によれば、Ｒカッター装置のカット刃（雄刃）において、長手方向の刃先に連続した傾きを設けたこと、且つ、短手方向の刃先に円弧状の凹みを設けたことによりこのカット刃（雄刃）の刃先と嵌め込む抜き型受刃（雌刃）との切刃線の接触状態は連続した点接触状態とすることができる。 
【発明の効果】
【００１６】
以上説明したように、本発明によれば、Ｒカッター装置のカット刃（雄刃）において、刃先に連続した傾きを設けたことによりこのカット刃（雄刃）の刃先と嵌め込む抜き型受刃（雌刃）との切刃線の接触状態は連続した点接触状態となり、全ての打ち抜き部分の切れ味が良好になり、切り残しが発生しない縦型多列自動包装機のカッター装置を提供することができる。 
【発明を実施するための最良の形態】
【００１７】
以下に本発明に係る縦型多列自動包装機におけるＲカッター装置のカット刃（雄刃）の実施の形態を図面と共に説明する。図1は本発明を実施した縦型多列自動包装機の正面図であり、図２は本発明を実施した縦型多列自動包装機の側面図である。これらの図面において各々符号１で全体的に示した自動包装機は、一度に複数本のスティック包装袋を連続的にシール成形できるように構成されている。なお、図１における縦型多列自動包装機の列数は６列の例で説明しているが、この列数は原反ロールフィルム幅に応じた任意の値を採用することができる。 
【００１８】
図１と図２に示すように、１Ｆは本体フレーム、２は被包装材料（内容物）を収容したホッパー、３はホッパー２から供給される被包装材料を計量した後充填パイプ４に供給する計量供給盤、４はスリットされて幅が狭くなった複数条の包装フィルムＦ’を略円筒状にフォーミングすると共に被包装材料の投入通路となる充填パイプ、５は縦シール装置、６はその下に設けた横シール装置、７は出来上がった連続包装袋を支える袋ガイド、８は連続包装袋の横シール中央付近に対してＲカット形状に打ち抜いて角を有しない個別包装袋とするＲカッター装置、９は切り離された個別包装袋を受け取るすべり台、１０は操作パネルボックスである。 
【００１９】
図２において、ＦＨは幅の広い包装フィルム（包材）を巻いた原反ロール、Ｆはこの原反ロールＦＨから引き出された幅の広いフィルム、ＦＸはこの幅の広いフィルムＦを上記充填パイプ４の列数に合わせて幅の狭い複数条の包装フィルムＦ’にスリットするスリッター装置である。そして上記横シール装置６の上下運動に従って順次下方に引き出された各包装フィルムＦ’は各充填パイプ４の周囲を包むように略円筒状にフォーミングされる仕組みになっている。 
【００２０】
上記縦型多列自動包装機は、縦シール装置５の縦ヒートシーラによって各包装フィルムＦ’の開放両端同士を挟み込んで縦シールして、各包装フィルムＦ’を略円筒形状にシール成形する。更に、この略円筒形状の包装フィルムＦ’に対して横シール装置６で横シールした後、上記充填パイプ４を通して各包装フィルムＦ’の内部に被包装材料（内容物）を投入し、同時に横シール装置６により挟持したまま１包装袋分下方に移動させて包装フィルムＦ’の引き出しを行うと共にこの横シール装置６を上方に復帰作動させて再度横シールを行うことによって、スティック包装袋を多列式にシール成形するものである。 
【００２１】
そして、上記の動作を連続して繰り返し行い、且つ各横シールの中央部分をＲカッター装置８で上下に切断することにより、一度に多数本のスティックタイプ個別包装袋を連続的に生産できるように構成されている。なお、図１と同様に、２はホッパー、３は計量供給盤であり、１１は計量供給盤３を駆動するモータである。 
【００２２】
図３は、本発明の縦型多列自動包装機におけるＲカッター装置８の側面図であり、図４及び図５は、同じくＲカッター装置８の上面図である。なお、図４は、カッター刃と抜き型を嵌め込む前の状態を表しており、図５は、カッター刃と抜き型を嵌め込んだ時の状態を表している。図３乃至図５に示すように、Ｒカッター装置８は、一つのカッター部２０が列数分だけ用意されてカッター枠２４に取り付けられており、水平方向に並列設置されている。なお、図４及び図５における列数は７列の例で説明している。 
【００２３】
このカッター部２０内にはカット刃２２が組み込まれており、このカット刃２２を駆動するエアーシリンダ２１と駆動軸で接続されている。カット刃２２の刃先と対面する位置にＲカット抜き型２３が一定の間隔を経て設けられており、このカット刃の刃先と抜き型２３の間に切り離されていない連続したスティック状包装袋ＦＺがセッティングされている。 
【００２４】
なお、カッター部２０が列数分だけ取り付けられているカッター枠２４内には、カット刃２２と抜き型２３によって打ち抜かれた切り屑（Ｒカットカス）を回収するための集塵通路２５が設けられており、このカッター装置８の直下にはすべり台９が設置されている。 
【００２５】
図６は、本発明におけるＲカッター装置８の一つのカッター部２０を上から見た上面図である。図６に示すように、この一つのカッター部２０は、多列式に構成されているスティック状包装袋の内の一列分に対応するカッター装置であり、列数分だけ用意されて水平方向に並列設置されている。そして、このカッター部内にはカット刃２２が組み込まれており、このカット刃２２を駆動するエアーシリンダ２１と駆動軸で接続されている。 
【００２６】
カット刃２２の刃先と対面する位置にＲカット抜き型２３が一定の間隔を経て設けられており、このカット刃の刃先と抜き型２３の間に切り離されていない連続したスティック状包装袋が図面表面から裏面に向かってセッティングされている。なお、この抜き型２３に対して図面上方より側面視した形状をカッター部上部に抜き穴５０として示している。 
【００２７】
図６に示すカッター部の動作について説明する。縦型多列自動包装機において連続的且つ間歇的にスティック状包装袋が作られ、この包装袋がカット刃２２と抜き型２３の間にセッティングされている。そして、この包装袋がカット位置（横シール部分の中央付近）に来たら縦型多列自動包装機は、エアーシリンダ２１に圧縮されたエアーを送り込み、カット刃２２を抜き型２３に向かって駆動してＲカット形状に打ち抜き切断をする。 
【００２８】
図７は、本発明のカッター部２０に装着されているカット刃２２を上から見た上面図であり、図８は、同じくカット刃２２を斜め右上から見た斜め側面図である。図７及び図８に示すように、カット刃２２は短手方向に厚みを有する両端部材４４、４５と、この両端部材から曲線をもって短手方向の厚みを薄くしている中心部材４６で構成されており、刃先方向から側面視すると略Ｈ形状を有している。 
【００２９】
そして、このカット刃２２の刃先は両端部材４５の全長より両端部材４４の全長が長く構成されており、長い両端部材４４の刃先から短い両端部材４５の刃先にかけて傾斜した直線形状を有している中心部材４６の刃先で構成されている。 
【００３０】
また、図８に示すように、両端部材４４、４５の短手方向においては、短手中心部分が凹んだ円弧状形状を有しており、上記長手方向において傾斜した直線形状を有している中心部材４６の刃先と、短手方向において中心部分が凹んだ円弧状形状を有している両端部材４４、４５の刃先との複合形状を有している。 
【００３１】
このような傾斜した直線形状の中心部材４６の刃先と、円弧形状の両端部材４４、４５の刃先との複合形状を有している理由は、平面構造の抜き型受刃（雌刃）に嵌め込むカット刃（雄刃）の切刃線において、最初の接触状態から最後の接触状態に至るまで、できるだけ点接触状態を維持するための工夫である。 
【００３２】
以上、図７及び図８によって説明された本発明は、連続した包装袋に対してＲカット形状に打ち抜く工程において、全ての打ち抜き部分の切れ味が良好になり、切り残しが発生しないカッター装置を提供することができる。 
【００３３】
なお、図７及び図８において、両端部材４４、４５の短手方向刃先が円弧形状に凹んでいても下記の点から、従来の課題で指摘した点（円弧形状の中央部分において発生する細かな切り残し）は問題とならない。 
【００３４】
（１）打ち抜き動作を行うカット刃の中心部材４６の刃先幅は、スティック包装袋の横シール中央付近の袋幅と同じ幅値となるようにしており、スティック包装袋の横シール中央付近を打ち抜く行為は中心部材４６の刃先部分のみで実施している。このため、両端部材４４、４５の短手方向刃先が円弧形状に凹んでいても打ち抜き動作には直接影響していない。 
【００３５】
（２）カット刃２２の刃先より側面視した場合、刃先の短手方向は長手方向に比べて充分に短く、短手方向において、円弧形状に凹んでいるカーブは、従来の例である長手方向に円弧形状に凹んでいるカーブと比べて充分に急カーブとなり、カット刃（雄刃）の刃先と嵌め込む抜き型受刃（雌刃）との切刃線の接触状態は点接触状態を長く維持することができる。このため、細かな切り残しが発生する可能性は低くなる。 
【００３６】
また、上記と同様の理由により、両端部材４４、４５の短手方向刃先が円弧形状に凹むことなく、直線形状を有しても良い。即ち、上記説明を繰り返すことになるが、スティック包装袋の横シール中央付近を打ち抜く行為は中心部材４６の刃先部分が主に実施しているため、両端部材４４、４５の短手方向刃先形状は打ち抜き動作に直接影響することが少ないと言える。従って、この両端部材４４、４５の短手方向刃先形状は、円弧形状に凹むこと以外に直線形状を採用することもできる。この際の直線形状は、側面視の刃先において傾斜を有するものが良い。 
【００３７】
さらに、本明細書においてＲカットとは、直線的に切断された包装袋の尖った角部分を除去するための切断処理を言う。従って、本明細書におけるＲカット形状は、略曲線状に包装袋の角部分を打ち抜いて除去する場合だけではなく、その他の方法で個別包装袋同士が傷付かない程度に包装袋の角部分を除去する場合も含むものである。 
【図面の簡単な説明】
【００３８】
【図１】本発明を実施した縦型多列自動包装機の正面図である。
【図２】本発明を実施した縦型多列自動包装機の側面図である。
【図３】本発明の縦型多列自動包装機におけるＲカッター装置８の側面図である。
【図４】本発明の縦型多列自動包装機におけるＲカッター装置８の上面図であり、カッター刃と抜き型を嵌め込む前の状態を表している。
【図５】本発明の縦型多列自動包装機におけるＲカッター装置８の上面図であり、カッター刃と抜き型を嵌め込んだ時の状態を表している。
【図６】本発明におけるＲカッター装置８の一つのカッター部２０を上から見た上面図である。
【図７】本発明のカッター部２０に装着されているカット刃２２を上から見た上面図である。
【図８】本発明のカッター部２０に装着されているカット刃２２を斜め右上から見た斜め側面図である。
【図９】従来の一つのカッター部１２０を上から見た上面図である。
【図１０】従来のカッター部１２０に装着されているカット刃１２２を上から見た上面図である。
【符号の説明】
【００３９】
１    自動包装機 
１Ｆ    本体フレーム 
２    ホッパー 
３    計量供給盤 
４    充填パイプ 
５    縦シール装置 
６    横シール装置 
７    袋ガイド 
８    Ｒカッター装置 
９    すべり台 
１０    操作パネルボックス 
１１    モータ 
Ｆ    包装フィルム 
ＦＨ    包装フィルムを巻いたロール 
ＦＸ    スリッター装置 
２０    カッター部 
２１    エアーシリンダ 
２２    カット刃 
２３    Ｒカット抜き型 
２４    カッター枠 
２５    集塵通路 
４４、４５    両端部材 
４６    中心部材 
５０    抜き穴 
【図１】
2006182388.tif 000003
【図２】
2006182388.tif 000004
【図３】
2006182388.tif 000005
【図４】
2006182388.tif 000006
【図５】
2006182388.tif 000007
【図６】
2006182388.tif 000008
【図７】
2006182388.tif 000009
【図８】
2006182388.tif 000010
【図９】
2006182388.tif 000011
【図１０】
2006182388.tif 000012